(57)【要約】【課題】上階部からの不審者の侵入に対して防犯性を高めることができる建物の警戒システムを提供する。【解決手段】建物１０の外周部における一階部分１１と二階部分１２との間の境界部には化粧胴差１９が設けられている。化粧胴差１９には、当該化粧胴差１９に所定以上の荷重が下方に向けて加えられたことを検知する荷重検知センサ３１と、化粧胴差１９の下方に人が存在することを検知する人検知センサ３２とが設けられている。また、化粧胴差１９には、音声を発することで不審者を威嚇するためのスピーカ３３が設けられている。コントローラは、荷重検知センサ３１により所定以上の荷重が検知され、かつ、人検知センサ３２により人が検知された場合には、スピーカ３３に対し音声信号を出力する。これにより、スピーカ３３から警告音が出力されるため、境界部にいる不審者を威嚇することができる。【選択図】図１
2011022629.tif 000002
【特許請求の範囲】
【請求項１】
上下に隣接する上階部と下階部とを有する建物に適用され、
前記建物の外周部における前記上階部と前記下階部との間の境界部に設けられた見切り部材に対し所定以上の荷重が下方に向けて加えられたことを検知する荷重検知手段と、
前記境界部よりも下方に人が存在することを検知する境界部下方検知手段と、
前記荷重検知手段及び前記境界部下方検知手段の検知結果に基づいて、警戒制御を実行する制御手段と、
を備えることを特徴とする建物の警戒システム。
【請求項２】
不審者を威嚇するための威嚇手段を備え、
前記制御手段は、前記荷重検知手段により前記見切り部材に対し所定以上の荷重が下方に向けて加えられたことが検知され、かつ、前記境界部下方検知手段により人が検知されている場合に、前記威嚇手段による威嚇制御を前記警戒制御として実行することを特徴とする請求項１に記載の建物の警戒システム。
【請求項３】
前記制御手段は、前記荷重検知手段により前記所定以上の荷重が検知されかつ前記境界部下方検知手段により人が検知されている状態から、前記荷重検知手段により前記所定以上の荷重が検知されかつ前記境界部下方検知手段により人が検知されていない状態に移行した場合に、前記威嚇手段による威嚇態様を変更することを特徴とする請求項２に記載の建物の警戒システム。
【請求項４】
前記荷重検知手段及び前記境界部下方検知手段の検知結果に基づいて、当該検知対象とされている人が上方及び下方のいずれに移動しようとしているのかを判定する移動方向判定手段を備え、
前記制御手段は、前記移動方向判定手段により判定された移動方向に基づいて、その移動先の階部を警戒対象として警戒制御を実行することを特徴とする請求項１乃至３のいずれか一項に記載の建物の警戒システム。
【請求項５】
前記移動方向判定手段の判定結果に基づいて避難経路を設定し、該設定した避難経路を報知する避難経路報知手段を備え、
前記制御手段は、前記避難経路報知手段による避難経路の報知を前記警戒制御として実行することを特徴とする請求項４に記載の建物の警戒システム。
【請求項６】
前記見切り部材には、前記荷重検知手段と前記境界部下方検知手段とが互いに近接した位置に設けられていることを特徴とする請求項１乃至５のいずれか一項に記載の建物の警戒システム。
【請求項７】
前記荷重検知手段及び前記境界部下方検知手段による連続した検知が、前記荷重検知手段による検知を最後に途切れた場合には、外部への通報を行う通報手段を備えることを特徴とする請求項１乃至６のいずれか一項に記載の建物の警戒システム。
【請求項８】
前記境界部下方検知手段により人が検知された場合に、前記荷重検知手段を起動させることを特徴とする請求項１乃至７のいずれか一項に記載の建物の警戒システム。
【請求項９】
前記建物の前記上階部に設けられた建物開口部の下方に、前記荷重検知手段が設けられていることを特徴とする請求項１乃至８のいずれか一項に記載の建物の警戒システム。
【発明の詳細な説明】
【技術分野】
【０００１】
本発明は、建物の警戒システムに関する。
【背景技術】
【０００２】
住宅等の建物における警戒システムとして、建物又は敷地に人が存在することを検知する防犯センサを設け、その防犯センサにより不審者が検知された場合に警戒制御を実行する技術が種々提案されている。例えば特許文献１には、玄関ドア等のドアが開放される場合にドア開放者が不審者であれば警備装置を動作させ、ドア開放者が居住者であれば警備装置を動作させない構成が開示されている。この構成では、居住者が所持しているＩＣチップから識別情報を取得する取得手段が設けられており、取得手段が識別情報を取得していないにもかかわらずドアが開放される場合に警備装置が動作する。これにより、不審者が玄関ドアを開放して建物に侵入することに対し抑止力を発揮できるとしている。
【０００３】
また、玄関ドアや下階部の窓部から建物内に侵入される他に、建物内への侵入ルートとして上階部が選択される場合もある。この場合、不審者が樋を伝って登ったり、外壁に手や足を掛けてよじ登ったりすることで上階部まで移動し、上階部に設けられた窓部等の開口部を通じて建物内へ侵入することが考えられる。そこで、その対策としては下階部のみならず上階部にも例えば窓部の周辺等に防犯センサを設置し、その防犯センサにより不審者が検知された場合に上階部での警戒制御を実行することが考えられる。この場合、不審者が侵入ルートとして上階部を選択しても、不審者が上階部までよじ登った場合には不審者に対し警告を発したり、不審者が上階部に存在する旨を建物内の居住者に報知したりすることができるため、不審者が上階部から建物内へ侵入するのを抑止することができる。
【先行技術文献】
【特許文献】
【０００４】
【特許文献１】特開２００３−３０３３７９号公報
【発明の概要】
【発明が解決しようとする課題】
【０００５】
しかしながら、上記のシステムでは、例えば上階部に設けられたバルコニー等に不審者が侵入した場合に警戒制御が実行されるため、不審者に対する対応に遅れが生じることが想定される。例えば、不審者が上階部のバルコニーに侵入した場合に不審者に警告を発しても、不審者に十分な威嚇効果を与える前に不審者がバルコニーから窓部を通じて建物内に侵入してしまうおそれがある。また、不審者がバルコニーに侵入した場合にその旨が建物内の居住者に報知されても、上階部にいる居住者にとって下階部へ避難するための時間は十分にないため、建物内に侵入した不審者と接触してしまう事態も考えられる。つまり、従来のシステムは、上階部からの不審者の侵入に対して未だ改善の余地が残されているといえる。
【０００６】
本発明は、上記事情に鑑みてなされたものであり、上階部からの不審者の侵入に対して防犯性を高めることができる建物の警戒システムを提供することを主たる目的とするものである。
【課題を解決するための手段】
【０００７】
上記課題を解決すべく、第１の発明の建物の警戒システムは、上下に隣接する上階部と下階部とを有する建物に適用され、前記建物の外周部における前記上階部と前記下階部との間の境界部に設けられた見切り部材に対し所定以上の荷重が下方に向けて加えられたことを検知する荷重検知手段と、前記境界部よりも下方に人が存在することを検知する境界部下方検知手段と、前記荷重検知手段及び前記境界部下方検知手段の検知結果に基づいて、警戒制御を実行する制御手段と、を備えることを特徴とする。
【０００８】
本発明によれば、建物の外周部における境界部に設けられた見切り部材に所定以上の荷重が下方に向けて加えられたことを荷重検知手段により検知することで、外壁をよじ登る不審者が見切り部材に手や足を掛けたことを検知できる。そして、この荷重検知手段及び境界部下方検知手段の検知結果に基づいて警戒制御が実行されるため、例えば不審者が見切り部材に足を掛ける等して上階部にいることが荷重検知手段により検知された場合には上階部の警戒を行ったり、下階部に不審者がいることが境界部下方検知手段により検知された場合には下階部の警戒を行ったりすることができる。また、荷重検知手段により所定以上の荷重が検知され、かつ、境界部下方検知手段により不審者が検知されている場合、つまり不審者が見切り部材に手を掛ける等して境界部を跨いだ状態にある場合にも警戒制御を実行することができる。これにより、不審者が上階部に到達する前に不審者を威嚇したり居住者に通報したりする等することができるため、上階部からの建物内への侵入に対し前もって対応することが可能となる。つまり、上階部からの不審者の侵入に対して防犯性を高めることができる。
【０００９】
また、荷重検知手段と境界部下方検知手段とは上下に並べて配置するのが好ましい。この場合、境界部を上下に跨いだ不審者を効果的に検知することができる。
【００１０】
第２の発明の建物の警戒システムは、第１の発明において、不審者を威嚇するための威嚇手段を備え、前記制御手段は、前記荷重検知手段により前記見切り部材に対し所定以上の荷重が下方に向けて加えられたことが検知され、かつ、前記境界部下方検知手段により人が検知されている場合に、前記威嚇手段による威嚇制御を前記警戒制御として実行することを特徴とする。
【００１１】
本発明によれば、外壁に手や足を掛けてよじ登る不審者が見切り部材に手を掛ける等して境界部を跨いだ場合には警告音が出力される等して威嚇処理が行われる。これにより、不審者が上階部に到達する前にその不審者に対し外壁から降りることを促すことができるため、上階部からの不審者の侵入に対する抑止力を高めることができる。
【００１２】
第３の発明の建物の警戒システムは、第２の発明において、前記制御手段は、前記荷重検知手段により前記所定以上の荷重が検知されかつ前記境界部下方検知手段により人が検知されている状態から、前記荷重検知手段により前記所定以上の荷重が検知されかつ前記境界部下方検知手段により人が検知されていない状態に移行した場合に、前記威嚇手段による威嚇態様を変更することを特徴とする。
【００１３】
本発明によれば、不審者が境界部において威嚇手段による威嚇を受けたにもかかわらずさらに上方へ移動した場合には、威嚇態様をより威嚇効果の高いものに変更する等することで不審者により一層退散を促すことができる。
【００１４】
第４の発明の建物の警戒システムは、第１乃至第３のいずれかの発明において、前記荷重検知手段及び前記境界部下方検知手段の検知結果に基づいて、当該検知対象とされている人が上方及び下方のいずれに移動しようとしているのかを判定する移動方向判定手段を備え、前記制御手段は、前記移動方向判定手段により判定された移動方向に基づいて、その移動先の階部を警戒対象として警戒制御を実行することを特徴とする。
【００１５】
本発明によれば、荷重検知手段及び境界部下方検知手段の検知結果に基づいて、当該検知対象とされている不審者が上方及び下方のいずれに移動しようとしているのかが判定される。具体的には、例えば、境界部下方検知手段のみにより不審者が検知されていた後に、双方の検知手段により不審者が検知された場合には、不審者が下階部から境界部へ移動してきたと判断できるため、不審者が上方へ移動しようとしていると判定する等することができる。そして、その判定された移動方向に基づいて、移動先の階部を警戒対象として警戒制御が実行されるため、不審者が上階部の方へ移動しようとしている場合には上階部の警戒を高めたり、下階部へ向けて移動しようとしている場合には下階部の警戒を高めたりする等することができる。つまり、不審者が移動先の階部に到達する前にその移動先に対する警戒を行うことができるため、不審者の建物内への侵入に対して抑止力を高めることができる。
【００１６】
第５の発明の建物の警戒システムは、第４の発明において、前記移動方向判定手段の判定結果に基づいて避難経路を設定し、該設定した避難経路を報知する避難経路報知手段を備え、前記制御手段は、前記避難経路報知手段による避難経路の報知を前記警戒制御として実行することを特徴とする。
【００１７】
本発明によれば、不審者の移動方向に合わせて設定された避難経路が居住者に対して報知される。したがって、例えば不審者が外壁をよじ登って上階部の方へ移動している場合には下階部へ向かう避難経路が居住者に報知される一方、不審者が外壁を下階部の方へ移動している場合には上階部へ向かう避難経路が居住者に報知される。これにより、居住者は不審者と出会わないように建物内の安全な場所や屋外に避難することができるため、一定の安全性を確保することができる。また、境界部下方検知手段により人が検知され、かつ、荷重検知手段により所定以上の荷重が見切り部材に加えられたことが検知されている場合に、避難経路報知手段による避難経路の報知を実施するようにしてもよい。そうすれば、不審者が境界部にいるときに、つまり不審者が上階部又は下階部に到達する前に避難経路が居住者に報知されるため、居住者は比較的ゆとりをもって安全な場所へ避難することが可能となる。
【００１８】
第６の発明の建物の警戒システムは、第１乃至第５のいずれかの発明において、前記見切り部材には、前記荷重検知手段と前記境界部下方検知手段とが互いに近接した位置に設けられていることを特徴とする。
【００１９】
本発明によれば、見切り部材において荷重検知手段と境界部下方検知手段とが互いに近接した位置に設けられているために、外壁をよじ登り境界部を跨いだ不審者を好適に検知することができる。
【００２０】
第７の発明の建物の警戒システムは、第１乃至第６のいずれかの発明において、前記荷重検知手段及び前記境界部下方検知手段による連続した検知が、前記荷重検知手段による検知を最後に途切れた場合には、外部への通報を行う通報手段を備えることを特徴とする。
【００２１】
荷重検知手段及び境界部下方検知手段による連続した不審者の検知が、荷重検知手段による検知を最後に途切れた場合には、不審者が上階部から建物内へ侵入した可能性が高い。そこで、本発明では、この場合に、警察や警備会社等外部への通報を行うこととしている。これにより、不審者が建物内に侵入した場合には警察等にいち早くかけつけてもらうことができるため、盗難等の被害に遭うのを未然に回避する効果が期待できる。
【００２２】
第８の発明の建物の警戒システムは、第１乃至第７のいずれかの発明において、前記境界部下方検知手段により人が検知された場合に、前記荷重検知手段を起動させることを特徴とする。
【００２３】
本発明によれば、境界部下方検知手段により人が検知された場合に荷重検知手段が起動し、同検知手段による荷重検知が可能となる。したがって、見切り部材上に鳥等の小動物が留まる等した場合でも、その小動物の荷重が荷重検知手段により検知されるのを回避することができる。つまり、誤検知防止を図ることができる。
【００２４】
第９の発明の建物の警戒システムは、第１乃至第８のいずれかの発明において、前記建物の前記上階部に設けられた建物開口部の下方に、前記荷重検知手段が設けられていることを特徴とする。
【００２５】
本発明によれば、上階部に設けられた建物開口部の下方に荷重検知手段が設けられているため、当該建物開口部を通じて上階部から建物内への侵入を試みる不審者を効果的に検知することができる。
【図面の簡単な説明】
【００２６】
【図１】建物の概要を示す正面図。
【図２】一階部分と二階部分との境界部周辺を示す断面図。
【図３】警戒システムを示す全体構成図。
【図４】制御処理を示すフローチャート。
【図５】巾木における発光部の設置状態を示す図。
【発明を実施するための形態】
【００２７】
以下、本発明を具体化した一実施形態を図面に基づいて説明する。本実施形態では、複数の建物ユニットを組み合わせて形成されたユニット式建物について具体化している。図１は建物１０の概要を示す正面図、図２は一階部分１１と二階部分１２との境界部周辺を示す概略断面図である。
【００２８】
図１に示すように、建物１０は、下階部としての一階部分１１と、上階部としての二階部分１２と、二階部分１２の上方に設けられた屋根１３とを備えている。二階部分１２の外壁部１４には、建物開口部としての窓部１５が設けられている。窓部１５には、その内周に沿ってサッシ枠１６が配設され、サッシ枠１６には窓部１５を開閉するガラス戸１７が設けられている。ガラス戸１７には、当該ガラス戸１７を施解錠する窓施錠装置１８が設けられている。窓施錠装置１８は、ガラス戸１７の窓枠１７ａに設けられたクレセント錠を電気的に施解錠することで、ガラス戸１７を施錠又は解錠する構成となっている。
【００２９】
建物１０の外周部における一階部分１１と二階部分１２との境界部には見切り部材としての化粧胴差１９が設けられている。化粧胴差１９は、前記境界部に沿って長尺状に形成されており、例えば合成樹脂材料からなる。また、化粧胴差１９は、建物１０の全周に設けられている。
【００３０】
一階部分１１と二階部分１２との境界部では、上下に積み重ねられた建物ユニットが隣接している。具体的には、図２に示すように、境界部においては、上階建物ユニットＸの床大梁２１と下階建物ユニットＹの天井大梁２２とが上下に隣接して配置されている。上階建物ユニットＸの床大梁２１には上階外壁パネル２４の下端部が取り付けられ、下階建物ユニットＹの天井大梁２２には下階外壁パネル２５の上端部が取り付けられている。外壁パネル２４，２５は、屋外面を形成する外壁板２４ａ，２５ａと、外壁板２４ａ，２５ａの裏側に固定された金属製のフレーム２４ｂ，２５ｂとを有しており、フレーム２４ｂ，２５ｂが梁２１，２２に対してボルト等により固定されている。そして、これらの外壁パネル２４，２５により建物１０の外壁部１４が構成されている。
【００３１】
上階外壁パネル２４の下端部と下階外壁パネル２５の上端部との間には、間隙部２７が形成されている。外壁パネル２４，２５間における屋外側には、上記間隙部２７を跨ぐようにブラケット２８が設けられている。ブラケット２８は、上記化粧胴差１９を支持するための金属製の支持部材であり、間隙部２７の延びる方向（建物１０の外周方向）に沿って所定間隔で複数設けられている。ブラケット２８は、全体として平板状（詳細には四角筒状）に形成された本体部２８ａと、本体部２８ａの屋外面における上部に設けられたフック部２８ｂとを有している。ブラケット２８の本体部２８ａは、タッピングねじ２９により下階外壁パネル２５のフレーム２５ｂに外壁板２５ａを介して取り付けられている。フック部２８ｂは、本体部２８ａから屋外側に延びるとともに、屋外側端部において上方に折り曲げられることにより形成されている。
【００３２】
ブラケット２８には、化粧胴差１９が取り付けられている。化粧胴差１９は、間隙部２７を覆うようにして両外壁パネル２４，２５の屋外面に跨って設けられている。化粧胴差１９の屋内側における上部には、下方に垂下された係合部１９ａが設けられている。化粧胴差１９は、この係合部１９ａがブラケット２８のフック部２８ｂに係合されることによりブラケット２８に対して取り付けられている。詳細には、化粧胴差１９の係合部１９ａがブラケット２８の本体部２８ａとフック部２８ｂ（詳細には起立部）との間に挟みこまれた状態で化粧胴差１９が取り付けられている。化粧胴差１９は、このブラケット２８への取付状態において、外壁パネル２４，２５の屋外面から屋外側に突出するように設けられており、詳細には化粧胴差１９に人が手や足を掛けることができる程度に突出している。
【００３３】
化粧胴差１９には、荷重検知手段としての荷重検知センサ３１が設けられている。荷重検知センサ３１は、化粧胴差１９に対して所定以上の荷重が下方に向けて加えられたことを検知するセンサであり、例えば圧力センサ等からなる。不審者が二階部分１２に向かって外壁部１４をよじ登る場合には、化粧胴差１９に手や足を掛けることが考えられる。そこで、本実施形態では、化粧胴差１９に対して所定以上の荷重が下方に向けて加えられたことを荷重検知センサ３１により検知することで、不審者が化粧胴差１９に手や足を掛けたことを検知することとしている。なおここで、所定以上の荷重は、猫や鳥等の小動物が化粧胴差１９に乗った場合に上記センサ３１により検知されるのを回避するため、例えば５ｋｇ以上の荷重に設定されている。また、荷重検知センサ３１は、建物１０の外周部に沿って複数設けられており、それら複数のセンサ３１のうちのひとつが二階部分１２の窓部１５の下方に設けられている。
【００３４】
化粧胴差１９には、境界部下方検知手段としての人検知センサ３２が設けられている。人検知センサ３２は、化粧胴差１９よりも下方に人が存在することを検知するセンサであり、例えば化粧胴差１９の下端部に設けられている。詳細には、本人検知センサ３２は、化粧胴差１９よりも下方に人の体の少なくとも一部が存在することを検知するものである。人検知センサ３２は、建物１０の外周部に沿って複数設けられており、それら各人検知センサ３２がそれぞれ荷重検知センサ３１の下方に配置されている。つまり、本実施形態では、化粧胴差１９において荷重検知センサ３１と人検知センサ３２とが上下に並べて配置されている。
【００３５】
化粧胴差１９には、威嚇手段としてのスピーカ３３が設けられている。スピーカ３３は、化粧胴差１９に手や足を掛けている不審者に対し音声を発することで不審者を威嚇するものである。スピーカ３３は、例えば化粧胴差１９において屋外側に開口された凹部１９ｂに配設されている。
【００３６】
化粧胴差１９には、発光手段としての発光装置３４が設けられている。発光装置３４は、化粧胴差１９の下方に向かって光を発することにより建物１０の外周部における一階部分１１にいる不審者を威嚇するものである。発光装置３４は、ＬＥＤ（発光ダイオード）により構成されており、例えば化粧胴差１９の下端部に設けられている。発光装置３４は、建物１０の外周部に沿って複数設けられており、各発光装置３４がそれぞれ人検知センサ３２の近くに配置されている。
【００３７】
図１の説明に戻り、建物１０には、報知手段としての報知装置３５が設けられている。報知装置３５は、警報音や音声の出力が可能なスピーカを含んで構成されており、例えば建物１０内においてリビングの壁面等に設置されている。
【００３８】
次に、本警戒システムの電気的構成について図３に基づいて説明する。なお、図３は警戒システムを示す全体構成図である。
【００３９】
図３に示すように、建物１０には、制御手段としてのコントローラ４０が設けられている。コントローラ４０は、ＣＰＵ等を有する周知のマイクロコンピュータを主体に構成されており、例えば建物１０においてリビングの壁面等に設けられている。
【００４０】
コントローラ４０の入力側には、荷重検知センサ３１及び人検知センサ３２が接続されている。コントローラ４０には、これら各センサ３１，３２から逐次検知結果が入力される。
【００４１】
コントローラ４０は、荷重検知センサ３１及び人検知センサ３２による検知の履歴を記憶する記憶部４０ａを有している。荷重検知センサ３１及び人検知センサ３２からコントローラ４０に検知結果が入力されると、その検知結果が逐次記憶部４０ａに時系列の情報として記憶される。
【００４２】
コントローラ４０の出力側には、スピーカ３３が接続されている。コントローラ４０は、荷重検知センサ３１及び人検知センサ３２からの検知結果に基づいて、スピーカ３３に対し音声信号を出力する。これにより、スピーカ３３から警告音が出力される。
【００４３】
コントローラ４０の出力側には、発光装置３４が接続されている。コントローラ４０は、荷重検知センサ３１及び人検知センサ３２からの検知結果に基づいて、発光装置３４に対して発光信号を出力する。これにより、発光装置３４から下方に向けて光が発せられる。
【００４４】
コントローラ４０の出力側には、報知装置３５が接続されている。コントローラ４０は、記憶部４０ａに記憶されている荷重検知センサ３１及び人検知センサ３２の検知履歴に基づいて、報知装置３５に報知信号を出力する。これにより、建物１０内の居住者に対して報知装置３５より音声が出力される。
【００４５】
コントローラ４０の出力側には、窓施錠装置１８が接続されている。コントローラ４０は、荷重検知センサ３１及び人検知センサ３２からの検知結果に基づいて、窓施錠装置１８に対し施錠信号を出力する。これにより、ガラス戸１７が施錠される。
【００４６】
次に、コントローラ４０によって実行される制御処理について図４に示すフローチャートに基づいて説明する。なお、本処理は、所定の周期で繰り返し実行される。
【００４７】
まずステップＳ１１では、人検知センサ３２からの検知結果に基づいて、化粧胴差１９よりも下方に人が存在しているか否かを判定する。具体的には、化粧胴差１９よりも下方に人の体の少なくとも一部が存在しているか否かを判定する。化粧胴差１９よりも下方に人が存在している場合には、ステップＳ１２に進む。ステップＳ１２では、荷重検知センサ３１からの検知結果に基づいて、化粧胴差１９に対し所定以上の荷重が下方に向けて加えられているか否かを判定する。つまり、ここでは、不審者が化粧胴差１９に手や足を掛けているか否かを判定する。化粧胴差１９に所定以上の荷重が下方に向けて加えられていない場合には、ステップＳ１６に進む。この場合、不審者が建物１０の外周部における一階部分１１に存在していると判断することができる（図１のＰ１参照）。
【００４８】
ステップＳ１６では、発光威嚇処理を実行する。発光威嚇処理では、発光装置３４に発光信号を出力することで、発光装置３４から下方に向けて光を発する。これにより、一階部分１１にいる不審者を威嚇することができるため、その不審者に対し建物１０周りからの退散を促すことができる。なお、このときすでに発光威嚇処理が行われている場合には、そのまま発光威嚇処理を継続する。その後、本処理を終了する。
【００４９】
先のステップＳ１２において、化粧胴差１９に所定以上の荷重が下方に向けて加えられている場合には、ステップＳ１３に進む。この場合、不審者が建物１０の外周部において化粧胴差１９を跨いだ状態でいるか又は跨ごうとしていると判断することができる（図１のＰ２参照）。
【００５０】
ステップＳ１３では、音声威嚇処理を実行する。音声威嚇処理では、スピーカ３３に音声信号を出力することで、スピーカ３３より警告音を出力する。これにより、建物１０の外周部における境界部にいる不審者を威嚇することができるため、その不審者に外壁部１４をよじ登るのを躊躇させることができる。
【００５１】
続くステップＳ１４では、境界部にいる不審者が外壁部１４を伝って上方（二階部分１２側）及び下方（一階部分１１側）のいずれに移動しようとしているのかを判定する。この判定は、記憶部４０ａに記憶されている荷重検知センサ３１及び人検知センサ３２の検知履歴に基づいて行われる。具体的には、荷重検知センサ３１及び人検知センサ３２の双方により人が検知される直前に、人検知センサ３２のみにより人の検知がされていた場合には、不審者が一階部分１１から境界部に上ってきていると判断できるため、不審者が上方へ向かって移動しようしていることが判定される。一方、双方のセンサ３１，３２により人が検知される直前に荷重検知センサ３１のみにより人の検知がされていた場合には、不審者が二階部分１２から境界部に下りてきていると判断できるため、不審者が下方に移動しようとしていることが判定される。
【００５２】
ステップＳ１５では、避難経路報知処理を実行する。避難経路報知処理では、まずステップＳ１４において判定した移動方向に基づいて避難経路を設定する。具体的には、不審者が上方へ向かって移動しようとしていることを判定した場合には、避難経路として一階部分１１に向かう経路を設定し、一方不審者が下方へ向かって移動しようとしていることを判定した場合には、避難経路として二階部分１２に向かう経路を設定する。そして、次に上記設定した避難経路を報知装置３５により報知する。具体的には、報知装置３５に報知信号を出力し、例えば「一階に避難して下さい」「二階に上がって下さい」等のアナウンスを報知装置３５により行う。これにより、建物１０内の居住者は不審者のいない方に避難することができる。その後、本処理を終了する。
【００５３】
一方、前述したステップＳ１１において、化粧胴差１９よりも下方に人が存在していない場合には、ステップＳ１７に進む。ステップＳ１７では、荷重検知センサ３１からの検知結果に基づいて、化粧胴差１９に所定以上の荷重が下方に向けて加えられているか否かを判定する。つまり、ここでは、不審者が化粧胴差１９に手や足を掛けているか否かを判定する。化粧胴差１９に所定以上の荷重が下方に向けて加えられている場合には、ステップＳ１８に進む。この場合、不審者が建物１０の外周部において化粧胴差１９に足を掛ける等して二階部分１２に存在していると判断することができる（図１のＰ３参照）。
【００５４】
ステップＳ１８では、スピーカ３３に出力している音声信号の出力レベルを上げる等して、スピーカ３３より出力している警告音の音量を上げる。これにより、不審者に対する威嚇効果をより一層高めることができる。
【００５５】
ステップＳ１９では、窓施錠装置１８に施錠信号を出力する。これにより、ガラス戸１７が施錠されるため、二階部分１２に到達した不審者がガラス戸１７を開けて窓部１５より建物１０内に侵入するのを防止することができる。その後、本処理を終了する。
【００５６】
先のステップＳ１７において、化粧胴差１９に所定以上の荷重が下方に向けて加えられていない場合には、ステップＳ２０に進む。この場合、建物１０の外周部に不審者が存在していないと判断することができる。
【００５７】
ステップＳ２０では、スピーカ３３に対する音声信号の出力を停止し、また発光装置３４に対する発光信号の出力を停止する。これにより、スピーカ３３による音声威嚇処理が停止され、発光装置３４による発光威嚇処理が停止される。なお、このときすでにスピーカ３３による音声威嚇処理及び発光装置３４による発光威嚇処理がすでに停止している場合には、その停止状態を継続する。その後、本処理を終了する。
【００５８】
以上、詳述した本実施形態の構成によれば、以下の優れた効果が得られる。
【００５９】
化粧胴差１９に所定以上の荷重が下方に向けて加えられたことを検知する荷重検知センサ３１を設けた。そのため、荷重検知センサ３１により所定以上の荷重を検知することで外壁部１４をよじ登る不審者が化粧胴差１９に手や足を掛けたことを検知できる。
【００６０】
化粧胴差１９に設けられた荷重検知センサ３１及び人検知センサ３２の検知結果に基づいて、警戒制御が実行されるようにした。具体的には、人検知センサ３２のみにより不審者が検知された場合、つまり建物１０の外周部における一階部分１１に不審者がいる場合には発光装置３４により下方に光を発することで一階部分１１の不審者を威嚇したり、また荷重検知センサ３１のみにより不審者が検知された場合、つまり不審者が化粧胴差１９に足を掛ける等して二階部分１２にいる場合には窓施錠装置１８により二階部分１２のガラス戸１７を施錠するようにした。また、荷重検知センサ３１及び人検知センサ３２の双方により不審者が検知された場合、つまり外壁部１４をよじ登る不審者が化粧胴差１９を跨いだ場合には、スピーカ３３より警告音を出力するようにした。この場合、不審者が二階部分１２に到達する前に不審者に対し外壁部１４から下りることを促すことができるため、二階部分１２からの建物１０内への侵入に対し前もって対応することができる。つまり、二階部分１２からの不審者の侵入に対して防犯性を高めることができる。
【００６１】
化粧胴差１９において荷重検知センサ３１と人検知センサ３２とを上下に並べて設置した。換言すれば、荷重検知センサ３１と人検知センサ３２とを互いに近接した位置に配置した。そのため、化粧胴差１９を上下に跨いだ不審者を効果的に検知することができる。
【００６２】
荷重検知センサ３１のみにより不審者が検知がされた場合には、スピーカ３３から出力される警告音の音量を上げるようにした。これにより、スピーカ３３による威嚇処理が実行されているにもかかわらず二階部分１２へよじ登った不審者に対し威嚇効果を高めることができるため、その不審者に建物１０周りからの退散を促すことができる。
【００６３】
化粧胴差１９は外壁部１４の屋外面から屋外側に突出するように設けられているため、不審者が外壁部１４をよじ登る際には化粧胴差１９に手や足を掛けることが想定される。そのため、化粧胴差１９に所定以上の荷重が加えられたことを荷重検知センサ３１により検知することで不審者の存在を検知する上記構成は、外壁部１４をよじ登る不審者を検知するのに効果的である。
【００６４】
荷重検知センサ３１及び人検知センサ３２の双方により不審者が検知された場合には、各検知センサ３１，３２による検知履歴に基づいて、その検知されている不審者の移動方向を判定するようにした。そして、その判定された移動方向に基づいて避難経路を設定し、その設定した避難経路を報知装置３５により報知するようにした。この場合、不審者の移動方向に合わせて設定された避難経路が居住者に報知される。つまり、不審者が外壁部１４をよじ登り二階部分１２へ移動している場合には、一階部分１１へ向かう避難経路が報知される一方、不審者が外壁部１４を一階部分１１へ移動している場合には、二階部分１２へ向かう避難経路が報知される。したがって、居住者は不審者と出会わないように建物１０内の安全な場所や屋外に避難することができるため、一定の安全性を確保することができる。また、この避難経路の報知は不審者が上下階の境界部にいるときに、つまり不審者が一階部分１１又は二階部分１２に到達する前に行われるため、居住者は比較的ゆとりをもって安全な場所へ避難することが可能となる。
【００６５】
二階部分１２の窓部１５の下方に荷重検知センサ３１を設置したため、窓部１５を通じて二階部分１２から建物１０内への侵入を試みる不審者を効果的に検知することができる。
【００６６】
本発明は上記実施形態に限らず、例えば次のように実施されてもよい。
【００６７】
（１）上記実施形態では、報知装置３５を用いて、避難経路を報知する構成としたが、これを変更してもよい。例えば、建物１０内に発光装置を設置し、この発光装置により発せられる光により避難経路を報知する構成としてもよい。そこで、その具体例を図５に示す。図５に示す発光装置６０は、ＬＥＤからなる複数の発光部６１を備えて構成されている。発光装置６０の各発光部６１は、建物１０内の各所に設けられている巾木６２の上端部に設置されており、この巾木６２に沿って所定の間隔で配置されている。発光装置６０は、発光部６１による発光位置が可変とされている。発光装置６０は、コントローラ４０の出力側に接続されており、コントローラ４０はステップＳ１５において設定した避難経路に基づいて、各発光部６１に対し発光信号を出力する。具体的には、コントローラ４０は、二階部分１２への避難経路を設定している場合には、各発光部６１による発光位置が二階部分１２（例えば寝室等）へ向かって移動するように発光装置６０を制御する。一方、一階部分１１への避難経路を設定している場合には、各発光部６１による発光位置が一階部分１１（例えば玄関等）へ向かって移動するように発光装置６０を制御する。この場合、居住者は光の移動方向により避難経路を知ることができるため、不審者と出会わないように建物１０内の安全な場所や屋外に避難することができる。
【００６８】
（２）人検知センサ３２により人が検知された場合に、荷重検知センサ３１を起動させてもよい。そうすれば、化粧胴差１９上に鳥等の小動物が大量に止まったりボールが当たったりした場合でも、化粧胴差１９に所定以上の荷重が加えられたことが荷重検知センサ３１により検知されるのを回避することができる。つまり、誤検知防止を図ることができる。また、不審者が建物１０周りに現れるまでは、荷重検知センサ３１が起動されないため省エネルギ効果を得ることも期待できる。なお、人検知センサ３２により人が検知された場合に、その人が検知された人検知センサ３２の上方に設けられた荷重検知センサ３１のみ起動させるようにしてもよい。
【００６９】
（３）人検知センサ３２及び荷重検知センサ３１による連続した検知が、荷重検知センサ３１による検知を最後に途切れた場合には、不審者が二階部分１２から建物１０内へ侵入した可能性が高い。そこで、この場合に、外部への通報を行うようにしてもよい。外部への通報としては、コントローラ４０をインターネットを介して警察や警備会社等の管理コンピュータと接続し、その管理コンピュータに対して通報を行ったり、外出中の居住者の携帯する携帯機（例えば携帯電話機）に不審者が侵入した旨の通報を行ったりすること等が考えられる。この場合、不審者が建物１０内に侵入した場合に警察等にいち早くかけつけてもらうことができるため、盗難等の被害に遭うのを未然に回避する効果が期待できる。
【００７０】
（４）荷重検知センサ３１及び人検知センサ３２の双方により人が検知された場合には、ステップＳ１４において判定された不審者の移動方向に基づいて、不審者の移動先を警戒対象として警戒制御を実行するようにしてもよい。具体的には、例えば不審者が二階部分１２へ移動しようとしていることが判定された場合に、窓施錠装置１８に施錠信号を出力することで二階部分１２のガラス戸１７を施錠すること等が考えられる。この場合、不審者が移動先の階に到達する前にその階の警戒を実施することができるため、不審者の建物１０への侵入に対し抑止力を高めることができる。
【００７１】
（５）上記実施形態では、化粧胴差１９に荷重検知センサ３１を設ける構成としたが、化粧胴差１９を支持するためのブラケット２８や、ブラケット２８が取り付けられている天井大梁２２に荷重検知センサ３１を設ける構成としてもよい。要は、化粧胴差１９に対して所定以上の荷重が下方に向けて加えられたことを検知できる構成であればよい。
【００７２】
（６）上記実施形態では、スピーカ３３により警告音を発することにより上下階の境界部にいる不審者に対し威嚇を行うようにしたが、ライトを点滅又は点灯させる等、他の威嚇手段により威嚇を行うようにしてもよい。また、上記実施形態では、発光装置３４により発光することにより一階部分１１にいる不審者を威嚇するようにしたが、スピーカから警告音を出力する等、他の手段により威嚇を行ってもよい。さらに、発光装置３４を設けずに、一階部分１１の不審者に対しても、境界部にいる不審者に対するのと同様に、スピーカ３３から警告音を出力して威嚇するようにしてもよい。
【００７３】
（７）建物１０が複数階建てであれば、一階部分１１と二階部分１２との間の境界部に代えて又は付加して、その他の上下階の境界部にも荷重検知センサ３１、人検知センサ３２、スピーカ３３及び発光装置３４を設けるのがよい。そうすれば、二階部分１２よりも上方の階から不審者により建物内へ侵入されるのを抑止することができる。
【符号の説明】
【００７４】
１０…建物、１１…下階部としての一階部分、１２…上階部としての二階部分、１５…建物開口部としての窓部、１９…見切り部材としての化粧胴差、３１…荷重検知手段としての荷重検知センサ、３２…境界部下方検知手段としての人検知センサ、３３…威嚇手段としてのスピーカ、３５…報知装置、４０…制御手段、移動方向判定手段及び避難経路報知手段としてのコントローラ、６０…発光装置。
【図１】
2011022629.tif 000003
【図２】
2011022629.tif 000004
【図３】
2011022629.tif 000005
【図４】
2011022629.tif 000006
【図５】
2011022629.tif 000007